(57)【要約】高速な最適パワー制御方法が開示されており、レーザパワーレベルが光記録媒体のＡＤＩＰ／ＡＴＩＰフレームにおいて所定の順序で調整される。各ＡＤＩＰ／ＡＴＩＰフレームにおいてジッタが測定され、当該特定のフレーム、従ってパワーレベルに関する平均ジッタ値を得る。
2006526237.tif 000002
【特許請求の範囲】
【請求項１】
光記憶媒体に書き込むためのレーザ装置の最適パワーレベルを決定する方法であって、
前記光記憶媒体のテスト領域を規定するステップと、
動作出力パワーレベルを持つレーザ装置を用いて、所定のデータパターンを前記テスト領域に書き込むステップと、
前記所定のデータパターンに関するジッタ値を測定するステップと、
前記測定されたジッタ値に依存して、前記光記憶媒体にデータを書き込むための前記レーザ装置の最適動作出力パワーレベルを選択するステップであって、該最適パワーレベルが前記光記憶媒体に対する前記ジッタ値を最小化するようなステップと、
を有するような方法において、
前記媒体の第１走査において前記所定のデータパターンを前記テスト領域に書き込む間に前記レーザ装置の前記動作出力パワーレベルが第１の所定のプロファイルに従って変化される一方、前記媒体の第２走査において前記所定のデータパターンを前記テスト領域に書き込む間に前記レーザ装置の前記動作出力パワーレベルが前記第１の所定のプロファイルとは異なる第２の所定のプロファイルに従って変化されることを特徴とする方法。
【請求項２】
請求項１に記載の方法において、前記所定のプロファイルが複数のパワーレベルのステップを有していることを特徴とする方法。
【請求項３】
請求項２に記載の方法において、前記第１及び第２の所定のプロファイルにおけるパワーレベルのステップの各に対して少なくとも１つのジッタ値が測定されることを特徴とする方法。
【請求項４】
請求項３に記載の方法において、前記最適パワーレベルを選択するステップが、
前記第１及び第２の所定のプロファイルにおけるパワーレベルの範囲にわたってジッタ値をパワーレベルに関係付けるような関数を決定するステップと、
前記関数から、前記ジッタ値を最小にするような最適パワーレベルを決定するステップと、
を有することを特徴とする方法。
【請求項５】
請求項４に記載の方法において、前記ジッタ値をパワーレベルに関係付けるような関数を決定するステップが、
連続するパワーレベルの各対に対して、対応する平均パワーレベルと、これら連続するパワーレベルに対応するジッタ値からの対応する平均ジッタ値とを得るステップと、
前記平均ジッタ値を前記平均パワーレベルに関係付ける関数を決定するステップと、
を有していることを特徴とする方法。
【請求項６】
請求項４に記載の方法において、前記ジッタ値をパワーレベルに関係付けるような関数を決定するステップが、
連続するパワーレベルの各三つ組に対して、対応する平均パワーレベルと、これら連続するパワーレベルに対応するジッタ値からの対応する平均ジッタ値とを得るステップと、
前記平均ジッタ値を前記平均パワーレベルに関係付ける関数を決定するステップと、
を有していることを特徴とする方法。
【請求項７】
請求項４に記載の方法において、前記ジッタ値をパワーレベルに関係付けるような関数を決定するステップが、
連続するパワーレベルの各対に対して、対応する平均パワーレベルと、これら連続するパワーレベルに対応するジッタ値からの対応する平均ジッタ値とを得るステップと、
連続するパワーレベルの各三つ組に対して、対応する平均パワーレベルと、これら連続するパワーレベルに対応するジッタ値からの対応する平均ジッタ値とを得るステップと、
前記平均ジッタ値を前記平均パワーレベルに関係付ける関数を決定するステップと、
を有していることを特徴とする方法。
【請求項８】
請求項５、６又は７に記載の方法において、前記関数がσ＝ａＰ２＋ｂＰ＋ｃの形態の二次関数であり、ここで、σはジッタ値を表し、Ｐはパワーレベルを表し、ａ、ｂ及びｃは定数であり、前記最適パワーレーザは該関数の微分を零に設定することにより決定される（ｄσ／ｄＰ＝０、Ｐoptimum＝−ｂ／２ａ）ことを特徴とする方法。
【請求項９】
請求項１ないし８の何れか一項に記載の方法において、前記光記憶媒体は、規定されたプリグルーブ内アドレス（ＡＤＩＰ）フレームを有するディスクであり、前記パワーレベルが該ディスクの各ＡＤＩＰフレームに対して変化されることを特徴とする方法。
【請求項１０】
請求項１ないし９の何れか一項に記載の方法において、前記光記憶媒体は、規定されたプリグルーブ内絶対時間（ＡＴＩＰ）フレームを有するディスクであり、前記レーザパワーレベルが該ディスクの各ＡＴＩＰフレームに対して変化されることを特徴とする方法。
【請求項１１】
請求項１ないし１０の何れか一項に記載の方法において、前記光記憶媒体がＣＤ−Ｒ、ＣＤ−ＲＷ、ＤＶＤ−Ｒ、ＤＶＤ−ＲＷ、ＤＶＤ−Ｒ＿ＤＬ、ＤＶＤ−ＲＷ＿ＤＬ、ＤＶＤ＋Ｒ、ＤＶＤ＋ＲＷ、ＤＶＤ＋Ｒ＿ＤＬ、ＤＶＤ＋ＲＷ＿ＤＬ、ＤＶＤ−ＲＡＭ及びブルーレイディスクのうちの１つを有することを特徴とする方法。
【請求項１２】
光記憶媒体に書き込むためのレーザ装置の最適パワーレベルを決定する装置であって、
前記光記憶媒体のテスト領域を規定する手段と、
動作出力パワーレベルを有し、所定のデータパターンを前記テスト領域に書き込むように動作するレーザ装置と、
前記所定のデータパターンに関するジッタ値を測定する手段と、
前記測定されたジッタ値に依存して、前記光記憶媒体にデータを書き込むための前記レーザ装置の最適動作出力パワーレベルを選択する手段であって、該最適パワーレベルが前記光記憶媒体に対する前記ジッタ値を最小化するような手段と、
を有するような装置において、
前記媒体の第１走査において前記所定のデータパターンを前記テスト領域に書き込む間に前記レーザ装置の前記動作出力パワーレベルを第１の所定のプロファイルに従って変化させる一方、前記媒体の第２走査において前記所定のデータパターンを前記テスト領域に書き込む間に前記レーザ装置の前記動作出力パワーレベルを前記第１の所定のプロファイルとは異なる第２の所定のプロファイルに従って変化させるように動作するパワー調整手段を有することを特徴とする装置。
【請求項１３】
請求項１２に記載の装置において、前記最適パワーレベルを選択する手段が、
前記第１及び第２の所定のプロファイルにおけるパワーレベルの範囲にわたってジッタ値をパワーレベルに関係付けるような関数を決定する手段と、
前記関数から、前記ジッタ値を最小にするような最適パワーレベルを決定する手段と、
を有することを特徴とする装置。
【請求項１４】
請求項１３に記載の装置において、前記ジッタ値をパワーレベルに関係付けるような関数を決定する手段が、
連続するパワーレベルの各対に対して、対応する平均パワーレベルと、これら連続するパワーレベルに対応するジッタ値からの対応する平均ジッタ値とを得る手段と、
前記平均ジッタ値を前記平均パワーレベルに関係付ける関数を決定する手段と、
を有していることを特徴とする装置。
【請求項１５】
請求項１３に記載の装置において、前記ジッタ値をパワーレベルに関係付けるような関数を決定する手段が、
連続するパワーレベルの各三つ組に対して、対応する平均パワーレベルと、これら連続するパワーレベルに対応するジッタ値からの対応する平均ジッタ値とを得る手段と、
前記平均ジッタ値を前記平均パワーレベルに関係付ける関数を決定する手段と、
を有していることを特徴とする装置。
【請求項１６】
請求項１３に記載の装置において、前記ジッタ値をパワーレベルに関係付けるような関数を決定する手段が、
連続するパワーレベルの各対に対して、対応する平均パワーレベルと、これら連続するパワーレベルに対応するジッタ値からの対応する平均ジッタ値とを得る手段と、
連続するパワーレベルの各三つ組に対して、対応する平均パワーレベルと、これら連続するパワーレベルに対応するジッタ値からの対応する平均ジッタ値とを得る手段と、
前記平均ジッタ値を前記平均パワーレベルに関係付ける関数を決定する手段と、
を有していることを特徴とする装置。
【請求項１７】
請求項１２ないし１６の何れか一項に記載の装置において、前記光記憶媒体は、規定されたプリグルーブ内アドレス（ＡＤＩＰ）フレームを有するディスクであり、前記パワー調整手段が該ディスクの各ＡＤＩＰフレームに対して前記パワーレベルを変化させるように動作することを特徴とする装置。
【請求項１８】
請求項１２ないし１７の何れか一項に記載の装置において、前記光記憶媒体は、規定されたプリグルーブ内絶対時間（ＡＴＩＰ）フレームを有するディスクであり、前記パワー調整手段が該ディスクの各ＡＴＩＰフレームに対して前記レーザパワーレベルを変化させるように動作することを特徴とする装置。
【請求項１９】
請求項１２ないし１８の何れか一項に記載の装置において、前記光記憶媒体がＣＤ−Ｒ、ＣＤ−ＲＷ、ＤＶＤ−Ｒ、ＤＶＤ−ＲＷ、ＤＶＤ−Ｒ＿ＤＬ、ＤＶＤ−ＲＷ＿ＤＬ、ＤＶＤ＋Ｒ、ＤＶＤ＋ＲＷ、ＤＶＤ＋Ｒ＿ＤＬ、ＤＶＤ＋ＲＷ＿ＤＬ、ＤＶＤ−ＲＡＭ及びブルーレイディスクのうちの１つを有することを特徴とする装置。
【請求項２０】
データをディスクに記録する記録装置において、請求項１２ないし１９の何れか一項に記載の最適パワーレーザを決定する装置を有することを特徴とする記録装置。
【発明の詳細な説明】
【技術分野】
【０００１】
本発明は、広くは記録可能型光記憶システムに係り、更に詳細には、記録可能型光記憶システム及び光記憶ディスクと共に使用するための最適レーザパワーを決定する方法及び装置に関する。
【背景技術】
【０００２】
良く知られているように、ＣＤ−Ｒ（コンパクトディスクレコーダブル）ディスク等は光学積層体からなっている。該積層体は、通常は、ポリカーボネート基板、感応染料層、金又は銀合金反射体及び保護ラッカ被覆からなる。データは、高出力レーザを染料層上に収束させて、領域を該領域の反射度が変化されるように加熱することによりディスクに書き込まれる。斯かる領域は可変長マーク（低反射性領域）の螺旋状トラック及びランド（マークの間の高度に反射的な領域）を形成する。結果としてのマーク及びランドのパターンは、ディスク上に記憶されるべきデータを符号化する。マーク領域とランド領域との間の各遷移はデータ“１”値の物理的符号化に対応する。上記ランドは、典型的には、長さが３ないし１１クロックサイクルである（３Ｔ〜１１Ｔであり、ここで“Ｔ”はデータクロック周期を表す）。
【０００３】
データが正確に表されるべき場合、精密なマーク長は厳格なものとなる。例えば、光学読取器が長すぎる複数の３Ｔマーク又はランドを持つディスクを読み取る場合、これらは４Ｔの凹凸として誤って解釈され得る。この誤解釈は正しくないデータ取り込みとなり、極端な場合は、読取誤りとなる。
【０００４】
このような理由により、光学レコーダはディスク書き込みの品質を監視及び維持することができ、これにより、書き込まれている特定のディスク上の全てのマーク及びランドの長さの精度を保証することが必須である。
【０００５】
正確なマーク／ランド長を達成するためには、使用されているディスク／レコーダの組み合わせに対して最適なレーザ記録パワーが存在するであろう。従って、ディスク（例えば、ＣＤ−Ｒ、ＣＤ−ＲＷ（コンパクトディスクリライタブル）、ＤＶＤ±Ｒ（ＤＶＤレコーダブル）、ＤＶＤ±ＲＷ（ＤＶＤリライタブル）及びＤＶＤ−ＲＡＭ等）を記録する際に使用されるべき最適レーザ記録パワーは、実際のディスク、使用されているレコーダ及び記録が行われている速度にも依存する。
【０００６】
最適レーザ記録パワーは、各レコーダ／ディスク組み合わせに対して実際の記録速度で決定されるべきである。このような決定は、最適パワー制御（ＯＰＣ）手順と呼ばれる。最適レーザ記録パワーは、当該レコーダが所与のディスクに対して所与の記録速度で正しいマーク／ランド長を生成するのを可能にする。
【０００７】
レコーダブル（Ｒ）及びリライタブル（ＲＷ）光記憶ディスクに対して、２つの異なるＯＰＣ手順が現在使用されている。Ｒディスクに対しては“ベータ（beta）”及び“ジッタ”（又は“シグマ”）ＯＰＣ方法が一般的に使用され、ＲＷディスクに対しては“ガンマ”方法がＯＰＣ手順として使用される。ジッタ／シグマＯＰＣ手順は、最も普通に使用される方法の１つである。ジッタは、各ランレングスに対する平均値の周辺のマーク又はランド長の変動の統計的測定であり、プレーヤ／レコーダがデータを読み取る場合に発生するタイミングエラーの一般的な尺度である。
【０００８】
これらの現在使用されているＯＰＣ方法は、ディスク上に予め記憶された使用中の情報に基づくものである（例えば、DVD+R, Basic Format Specification, System Description、又はRecordable Compact Disc Systems, Part II: CD-R, System Description参照）。情報はディスク上に予め記憶することができ、これがレコーダに例えばＯＰＣ手順を開始すべき指示的パワーレベルを提供する。しかしながら、この情報は常に正しいとは限らず、ＯＰＣの失敗に終わる場合があり得る。
【０００９】
現在使用されているジッタ／シグマＯＰＣ手順の更なる問題点は、ディスクの周に沿う変動（例えば、ディスク偏心等）を平均化除去するために、テストパターンを記録するための大量のディスク領域を必要とする点にある。必要とされる斯かる大きなテスト領域はデータ記憶のために利用可能な空間を減らし、当該テストも実行するのに長時間が掛かる。
【発明の開示】
【発明が解決しようとする課題】
【００１０】
従って、ディスク上に記憶された情報からも独立した高速、且つ、空間効率的なシグマ（σ）ＯＰＣ方法に対する要求が存在する。
【課題を解決するための手段】
【００１１】
本発明によれば、ディスクの内側及び／又は外側テストゾーンにおいて実行することができ、且つ、従来のジッタＯＰＣ手順に関連する問題を克服するような高速σＯＰＣ手順が提供される。
【００１２】
本発明の第１の態様によれば、光記憶媒体に書き込むためのレーザ装置に対する最適パワーレベルを決定する方法であって、前記光記憶媒体のテスト領域を規定するステップと、動作出力パワーレベルを持つレーザ装置を使用して、前記テスト領域に所定のデータパターンを書き込むステップと、該所定のデータパターンに関するジッタ値を測定するステップと、前記光記憶媒体にデータを書き込むための前記レーザ装置の最適動作出力パワーレベルを前記測定されたジッタ値に依存して選択するステップであって該最適パワーレベルが前記光記憶媒体に対するジッタ値を最小化するようなステップとを有し、前記媒体の第１走査において前記所定のデータパターンを前記テスト領域に書き込む間に前記レーザ装置の動作出力パワーレベルは第１の所定のプロファイルに従って変化され、前記媒体の第２走査において前記所定のデータパターンを前記テスト領域に書き込む間に前記レーザ装置の動作出力パワーレベルは前記第１の所定のプロファイルとは異なる第２の所定のプロファイルに従って変化されることを特徴とするような方法が提供される。
【００１３】
本発明の第２の態様によれば、光記憶媒体に書き込むためのレーザ装置に対する最適のパワーレベルを決定する装置であって、前記光記憶媒体のテスト領域を規定する手段と、前記テスト領域に所定のデータパターンを書き込むように動作する、動作出力パワーレベルを持つレーザ装置と、前記所定のデータパターンに関するジッタ値を測定する手段と、前記光記憶媒体にデータを書き込むための前記レーザ装置の最適動作出力パワーレベルを前記測定されたジッタ値に依存して選択する手段であって該最適パワーレベルが前記光記憶媒体に対するジッタ値を最小化するような手段とを有し、前記媒体の第１走査において前記所定のデータパターンを前記テスト領域に書き込む間に前記レーザ装置の動作出力パワーレベルを第１の所定のプロファイルに従って変化させ、前記媒体の第２走査において前記所定のデータパターンを前記テスト領域に書き込む間に前記レーザ装置の動作出力パワーレベルを前記第１の所定のプロファイルとは異なる第２の所定のプロファイルに従って変化させるように動作するパワー調整手段を有することを特徴とするような装置が提供される。
【００１４】
レーザ書込パワーはＡＤＩＰ／ＡＴＩＰ（Address in Pre-groove/Absolute Time in Pre-groove）フレーム毎にステップ状に変化され、各パワーステップにおいてジッタが複数回測定されて（書き込みが完了した後）、当該ＡＤＩＰ／ＡＴＩＰフレーム（従って、パワーレベル）に対する平均を得る。
【００１５】
本発明によれば、レーザ書込パワーはＡＤＩＰ／ＡＴＩＰフレーム毎に複数回ステップ状に変化させることもできる。
【００１６】
本発明の方法は、速度、ディスク空間使用の点で、及び事前記憶された情報とは無関係に全ての記録可能型（レコーダブル）光記憶ディスク媒体（例えば、ＣＤ−Ｒ、ＣＤ−ＲＷ、ＤＶＤ±Ｒ、ＤＶＤ±ＲＷ、ＤＶＤ±Ｒ＿ＤＬ（ＤＬ＝ダブルレイヤ）、ＤＶＤ±ＲＷ＿ＤＬ、ＤＶＤ−ＲＡＭ、ブルーレイディスク等）に対して使用することができるという事実により、現在使用されているＯＰＣ手順を超える大きな利点を提供する。
【００１７】
本発明の一実施例においては、２トラックジッタＯＰＣ手順が提供される。
【００１８】
本発明の、これら及び他の目的、フィーチャ及び利点は、添付図面に示されるような本発明の実施例の下記のより詳細な説明から明となるであろう。
【発明を実施するための最良の形態】
【００１９】
本発明のσ-ＯＰＣ手順はディスクのテストゾーンを使用して実行される。高速且つ空間効率的なＯＰＣを提供するために、本発明の一実施例はσ-ＯＰＣ手順をディスクの２回転のみを使用して提供する。
【００２０】
本発明は主にＣＤ−Ｒ（Ｗ）及びＤＶＤ−Ｒ（Ｗ）ディスクを参照して説明されるが、本発明が当該媒体に対して情報を書き込むために最適レーザパワーが望ましいような如何なる光記録媒体にも適用可能であることは理解されるであろう。例えば、本発明は、限定されるものではないが、ＤＶＤ−Ｒ＿ＤＬ、ＤＶＤ−ＲＷ＿ＤＬ及びブルーレイディスク等にも適用することができる。
【００２１】
図１は、標準のＣＤ−ＲＷディスクの側面を示している。“パワー校正領域”（ＰＣＡ）が当該ディスクのテストゾーンとして規定され、一般的に如何なるＯＰＣ手順も当該ディスクの該領域において実行される。該ディスク上にはプログラムメモリ領域（ＰＭＡ）３、リードイン及びリードアウト領域５及び９、並びにプログラム領域９も設けられるが、本発明には関係がないので、説明はしない。領域３、５、７及び９は、単に完全さのために、及び本発明が全ての標準のディスク形式に対して適用可能であることを強調するためにのみ含まれている。
【００２２】
本発明は、光記記録体上に存在する所謂“ＡＤＩＰ”（Address in Pre-Groove；プリグルーブ内アドレス）及び“ＡＴＩＰ”（Absolute Time in Pre-Groove；プリグルーブ内絶対時間）フレームを使用する。
【００２３】
全てのディスクは、僅かに振動する事前カットされた螺旋溝を有している。該溝は書込ヘッドのトラッキングを適切に維持し、上記振動（ＣＤ−Ｒ（Ｗ）ディスクの場合、公称速度において２２.０５ＫＨｚの周波数の正弦状）はレコーダに対してタイミング情報を提供する。
【００２４】
上記振動は+/-１ＫＨｚの信号により周波数変調され、これがプリグルーブ内絶対時間（ＡＴＩＰ）として知られている絶対時間クロッキング信号を生成する。従って、該振動はタイミング信号を提供するものと考えることができる。ＤＶＤ＋Ｒ（Ｗ）ディスクの場合、上記振動は公称速度において８１７ｋＨｚの周波数を有する。ＤＶＤ−Ｒ（Ｗ）ディスクの場合、公称速度における振動の周波数は１４０.６ｋＨｚである。この変調された信号からタイミング情報が生じる。
【００２５】
ディスクから情報が読み取られる場合、上記振動は復調されてタイミング信号を形成することができ、該タイミング信号から時間情報を導出することができる。このように、書き込み／読み出し中の当該ディスク上の位置は、このＡＴＩＰ（Absolute Time in Pre-Groove）情報により決定することができる。
【００２６】
ＤＶＤ＋Ｒ（Ｗ）ディスクの場合は、位相変調時間信号が存在する。ＣＤ−Ｒ（Ｗ）ディスクと同様の態様で、該位相振動から時間情報を導出し、読み取り／書き込みの間におけるディスクの位置を得ることができる。ＤＶＤ−Ｒ（Ｗ）ディスクの場合、この情報はＡＤＩＰ（Address in Pre-Groove）と呼ばれる。
【００２７】
ディスク回転当たり或る数のＡＤＩＰ／ＡＴＩＰフレームが存在する。本発明によれば、ＯＰＣ手順はディスクの小さな領域に対して実行されるので、回転当たり一定数のＡＴＩＰ／ＡＤＩＰフレームが使用される。即ち、本発明の一実施例によれば、回転当たり（当該光ディスクの内側において）、ＣＤ−Ｒ（Ｗ）ディスクに対しては９個のＡＴＩＰフレームが使用され、ＤＶＤ−Ｒ（Ｗ）ディスクに対しては７個のＡＤＩＰフレームが使用される。
【００２８】
図２は本発明による２トラックσＯＰＣ手順を示し、図３は該手順の間におけるパワーレベルの変化を示している。
【００２９】
図２及び図３により例示される実施例によれば、レーザパワーレベルは各ＡＤＩＰ／ＡＴＩＰフレーム、θに対して変化される。パワーレベルは、所与のレコーダ／ディスクの組み合わせに対して利用可能な最小及び最大レーザ書込パワーの間の差を、必要とされるステップの数により除算することにより決定される。最小及び最大レーザ書込パワーは、例えば、当該レコーダの事前プログラムされたパワーであり得る。
【００３０】
他の例として、標準の開始パワーが使用され、次いで該パワーが新たなパワーレベルが必要とされる毎に所定の量によりステップ状に変化されるようにすることもできる。
【００３１】
第１の回転の間において、テストデータがディスクに対してＡＤＩＰ／ＡＴＩＰフレームに特定のレーザパワーレベルで書き込まれる。次いで、該レーザパワーレベルは図３に示すように調整され、テストデータが、次のＡＤＩＰ／ＡＴＩＰフレームに、この新たなパワーレベルで書き込まれる。当該手順は、当該ディスクの第１回転に対して、所望の数のパワーレベルが試みられるまで継続する。次いで、同じ手順が第２回転に対して図３に示すようなパワーレベル変化で後続される。
【００３２】
図２に示すように、第２回転１１の間におけるパワーレベル変化は、第１回転１３の間において使用されたものとは順番が異なる。このずれ（シフト）は、第１及び第２回転の間において所与のパワーレベルで書き込まれたＡＤＩＰ／ＡＴＩＰフレームが当該ディスク上で一致しないことを保証する。
【００３３】
図２及び３に示すような本発明の実施例によれば、次のトラック１１の書き込みの開始時にパワーレベル１０３の順序が図３に示すように変更される。この様にして、ディスクの周に沿う当該ディスクの不均一さに関連する如何なる可能性のある問題も平均化除去される。
【００３４】
即ち、同心的トラックにおいて隣接するＡＴＩＰ／ＡＤＩＰフレームは同一のレーザパワーレベルで書き込まれた情報を有することがない。結果として、当該ディスクの周に沿う不均一さが、特定のレーザパワーでの異常な読み取りを生じさせることがないであろう。
【００３５】
図３に示された順序による書き込みの後に、ジッタが各ＡＤＩＰ／ＡＴＩＰフレームにおいて複数回測定され、平均化される。ジッタは従来の技術を用いて測定することができる。例えば、当該レコーダ／プレーヤにおけるタイミング測定回路を、例えばクロック信号に関連してジッタ測定値を提供するために使用することができる。
【００３６】
図２及び３により例示した本発明の方法が図４に概略図示され、該図は本発明の方法によるフローチャートを示すものである。
【００３７】
ステップ1001において、当該レコーダによりパワーレベルが選択される。ステップ1003において、テスト情報がＡＤＩＰ／ＡＴＩＰフレームにステップ1001において選択されたパワーレベルを用いて書き込まれる。ステップ1005において、レコーダは当該手順が特定の回転に対して完了したか、即ち全ての必要なパワーレベルが試されたかを判断する。もし完了したなら、ステップ1007において当該ＯＰＣ手順に対する更なる回転が必要とされるかが判断される。
【００３８】
ステップ1005において更なる測定が必要と見なされた場合、ステップ1001において新たなパワーレベルが選択され、当該ＯＰＣ手順は継続する。
【００３９】
ステップ1007において更なる回転が必要な場合は、ステップ1001において新たな回転に対して新たなレーザ書込パワーが選択される。代わりに、更なる回転が必要とされない場合は、ステップ1009において上記回転に対してジッタが測定される。
【００４０】
かくして、図４に概要を示した方法は当該ディスクの各回転に対して繰り返される。ジッタ測定は、各回転に対して書き込みが完了した後に開始する。
【００４１】
レーザパワーレベルは必ずしも図３に示されるように調整する必要はなく、同心的トラックにおいて隣接するＡＤＩＰ／ＡＴＩＰフレームが前述した理由により同一のパワーレベルでは書き込まれない限り、如何なる態様で調整することもできる。
【００４２】
内側のディスクテストゾーンを使用する場合、例えば回転当たり７個のＡＤＩＰフレーム（ＤＶＤ＋Ｒ（Ｗ）の場合）が使用されるか、又は回転当たり９個のＡＴＩＰフレーム（ＣＤ−Ｒ（Ｗ）の場合）が使用される。
【００４３】
ＡＤＩＰ／ＡＴＩＰフレーム位置に対して異なるパワーで書き込んだ後、ジッタが測定される。各ＡＤＩＰ／ＡＴＩＰフレームにおいてジッタが測定されたら、当該ディスクの周に沿う変動を平均化除去するのに充分な情報が利用可能となる。これを以下に更に詳細に説明する。
【００４４】
表が下記に示されるが、該表はテスト回転の間に使用されたパワーレベルに対するジッタ測定値を示している。該表において、ｎは当該ＯＰＣ手順の間において回転当たりに書き込まれるＡＤＩＰ／ＡＴＩＰフレームの数である。
【００４５】
【表１】
2006526237.tif 000003
【００４６】
図５は、２つの回転に対して回転当たり７つのレーザパワーレベルを用いたパワー及びジッタ測定に関して得られた２つのアレイ（配列）の概略表示である。ジッタは、各回転に対して各パワーレベルで測定される。例えば、第１回転の間のパワーレベルＰ０では、ジッタ値σ0,1が得られる。ここで、下付け文字0,1は、第１（０番目）パワーレベル（０）から得られた第１（１）ジッタ測定値であることを示している。同様に、第２（２）回転の間の第７（６）ジッタ測定値（即ち、第７パワーレベルにおける）は、σ6,2である。パワーレベルは異なる回転に対しては異なる順序で供給されるが、当該結果はパワーレベル順Ｐ０ないしＰ６で配列されている。
【００４７】
図６は、例示的実施例において、どの様にして図５の測定値からの結果が平均化され、その結果がパワー及びジッタの各々に対して２つの新たなアレイに配置されるかを示している。
【００４８】
図６において、第１及び第２の両方の回転に対する２つの連続するパワー及びジッタ値が平均されて、新たなアレイの値を形成する。かくして、例えば、各回転に関する最初の２つのパワーレベルはＰ０及びＰ１であり、第１及び第２回転に関する対応するジッタ測定値は、各々、σ0,1、σ1,1及びσ0,2、σ1,2である。上記２つのパワーレベルは下記の式（１）により平均されて、値Ｐo0を得る一方、２つの回転に対する上記２つのパワーレベルにおける上記４つのジッタ測定値は下記の式（２）により平均されてσr10を得る。
【００４９】
かくして、２つの連続するパワー及びジッタ値の平均化（上述したような）は下記の式を用いて実行される：
【数１】
2006526237.tif 000004
【数２】
2006526237.tif 000005
同様に、図７及び８は、式（３）及び（４）により、どの様にして３つの連続するパワー及びジッタ値が平均されて、２つの他の新たなアレイに配置されるかを示している。かくして、前記表の３つの連続するパワー及びジッタ値の平均化は下記の式を用いて実行される：
【数３】
2006526237.tif 000006
【数４】
2006526237.tif 000007
ここで、上記４つの新たなアレイからの値は図９及び１０に示すように２つのアレイに投入される。
【００５０】
かくして、式（１）ないし（４）により定義される４つのパワー／ジッタのアレイは、下記に示す２つの別個のアレイに投入することができる。
【数５】
2006526237.tif 000008
【数６】
2006526237.tif 000009
これは、平均ジッタが平均パワーに対してプロットされる場合に、一層正確な適合が得られるのを可能にするような一層多くのサンプルを提供するという利点を有している。
【００５１】
平均化されたパワーレベルＰＳと平均化されたジッタ値σＳとの間の関係は、図１１に示すように性質が二次的であることがわかる。“＋”印２０は２つが平均化されたパワー及びジッタ値を表し、“Ｘ”印は３つが平均化されたパワー及びジッタ値を表している。
【００５２】
最小レベルのジッタを表すパワーレベルを決定するためには、σＳ及びＰＳを関係付ける関数（σＳ＝ｆ(ＰＳ)）の極小を見つけなければならない（理想的には、二次曲線の適合により）。該新たな関数が二次的であると見られる場合、
【数７】
2006526237.tif 000010
なる方程式（該式において、ａ、ｂ及びｃは定数である）に対する解を見付けることにより、ｄσＳ／ｄＰＳ＝０の場合に、ＰＳ＝ＰＷσを計算することができ、ここでＰＷσは最適パワーである。
【００５３】
図１２は、σＳ対ＰＳの典型的なプロットを示している。ｄσＳ／ｄＰＳ＝０の場合、
【数８】
2006526237.tif 000011
となり、従って、
【数９】
2006526237.tif 000012
となり、ここでａ及びｂは多項式回帰から得られる係数である。該新たな最適パワーＰＷσは適合された曲線の最小ジッタ値に対応する。
【００５４】
かくして、ＰＷσは最適レーザ書込パワー、即ち適合された曲線の最小ジッタ値を生じさせるレーザパワーであり、上記曲線は、所与のディスク／レコーダ組み合わせに関し所与の書き込み速度において、該最小値に対し対称となる。
【００５５】
上述した例示的実施例においては、２つの及び３つのパワー及びジッタ値の平均が、最適レーザパワーを計算するために使用されたことがわかる。しかしながら、より大きな又は小さな数のパワーレベル及び関連するジッタ値にわたる平均も可能であり、上記は本発明を解説するためだけのものである。例えば、より大きな精度のＰＷσが必要とされる場合、図１２の曲線を得るために、２、３、４及び５個のパワーレベル及び関連するジッタ値に対する平均を使用することもできる。
【図面の簡単な説明】
【００５６】
【図１】図１は、典型的なＣＤ−ＲＷディスクの側面図を表す。
【図２】図２は、本発明による２トラックＯＰＣ手順を表す。
【図３】図３は、本発明によりレーザパワーレベルに対してなされる調整を表すグラフである。
【図４】図４は、本発明の方法のフローチャートである。
【図５】図５は、本発明の一実施例によるパワー及びジッタ値のアレイを示す。
【図６】図６は、本発明の一実施例による平均パワー及びジッタ値のアレイを示す。
【図７】図７も、本発明の一実施例によるパワー及びジッタ値のアレイを示す。
【図８】図８も、本発明の一実施例による平均パワー及びジッタ値のアレイを示す。
【図９】図９は、本発明の一実施例による平均パワー値のアレイを示す。
【図１０】図１０は、本発明の一実施例による平均ジッタ値のアレイを示す。
【図１１】図１１は、本発明の一実施例による平均ジッタ測定値対平均パワーレベルのグラフである。
【図１２】図１２も、本発明の一実施例による平均ジッタ測定値対平均パワーレベルのグラフである。
【図１】
2006526237.tif 000013
【図２】
2006526237.tif 000014
【図３】
2006526237.tif 000015
【図４】
2006526237.tif 000016
【図５】
2006526237.tif 000017
【図６】
2006526237.tif 000018
【図７】
2006526237.tif 000019
【図８】
2006526237.tif 000020
【図９】
2006526237.tif 000021
【図１０】
2006526237.tif 000022
【図１１】
2006526237.tif 000023
【図１２】
2006526237.tif 000024
【国際調査報告】
2006526237.tif 000025
2006526237.tif 000026
2006526237.tif 000027